(57)【要約】【課題】  織物の模様そのものを装飾模様として利用することができる織物による物品表面の装飾構造を提供すること。【解決手段】  表面側に模様が形成され物品本体１の表面部１ａに設置可能な大きさの所定形状の織物２を設け、織物２の裏面側を表面部１ａに載置し、物品本体１の表面部１ａに対応する光透過素材からなる透明部分を有する押えパネル３を設け、表面部１ａに載置された織物２の表面２ａ側から物品本体１に押えパネル３を嵌合接続することにより、押えパネル３と表面部１ａとの間に織物２を挟持し、押えパネル３の透明部分から光透過素材を通して織物２の模様Ｒを目視し得るように構成した。【選択図】  図１
0003190061.tif 000002
【実用新案登録請求の範囲】
【請求項１】
物品本体の一方面側の表面部を織物により装飾する織物による物品表面の装飾構造であって、
表面側に模様が形成され上記物品本体の上記表面部に設置可能な大きさの所定形状の織物を設け、上記織物の裏面側を上記物品本体の上記表面部に載置し、
上記物品本体の上記表面部に対応する光透過素材からなる透明部分を有する押えパネルを設け、上記表面部に載置された上記織物の表面側から上記物品本体に上記押えパネルを嵌合接続することにより、上記押えパネルと上記表面部との間に上記織物を挟持し、
上記押えパネルの上記透明部分から上記光透過素材を通して上記織物の上記模様を目視し得るように構成したものであることを特徴とする織物による物品表面の装飾構造。
【請求項２】
上記物品本体はスマートフォンの保護ケースであり、上記物品本体の上記表面部は上記保護ケースのスマートフォンが嵌合接続する側とは反対側の平面である請求項１記載の織物による物品表面の装飾構造。
【請求項３】
上記保護ケースの上記表面部の周縁に突出縁を設け、上記織物は上記突出縁内の上記表面部に嵌合し得る大きさの布地であり、上記押えパネルは上記突出縁の内側に嵌合し得るように構成されており、上記表面部に載置された上記織物の表面側から上記押えパネルを上記突出縁に嵌合接続したものである請求項２記載の織物による物品表面の装飾構造。
【請求項４】
上記押えパネルの中央部に開口部を形成することにより当該押えパネルを枠状に形成し、当該押えパネルと上記表面部により上記織物の外周部を挟持し得るように構成し、上記開口部を介して上記織物の表面に接触し得るように構成したものであることを特徴とする請求項３記載の織物による物品表面の装飾構造。
【請求項５】
上記物品本体はコースターの基板であり、上記物品本体の上記表面部は上記コースターの上記基板におけるコップが載置される側の平面である請求項１記載の織物による物品表面の装飾構造。
【請求項６】
上記押えパネルの周縁に上記基板の周縁に係合可能な側面部を設け、上記織物は上記基板の表面部と同じ大きさの布地であり、上記表面部に載置された上記織物の表面側から上記押えパネルを上記側面部を以って上記基板に嵌合接続したものである請求項５記載の織物による物品表面の装飾構造。
【請求項７】
上記物品本体は箸置きの基板であり、上記物品本体の上記表面部は上記箸置きの上記基板における箸の先端部が置かれる側の平面である請求項１記載の織物による物品表面の装飾構造。
【請求項８】
上記押えパネルの周縁に上記基板の周縁に係合可能な側面部を設け、上記織物は上記基板の表面部と同じ大きさの布地であり、上記表面部に載置された上記織物の表面側から上記押えパネルを上記側面部を以って上記基板に嵌合接続したものである請求項７記載の織物による物品表面の装飾構造。
【考案の詳細な説明】
【技術分野】
【０００１】
本考案は、例えばスマートフォンの保護カバー、コースター、箸置き等の物品の表面に、織物の表面を目視可能に配置することにより、織物の表面の模様をそのまま装飾として利用することを可能とした織物による物品の表面の装飾構造に関するものである。
【背景技術】
【０００２】
従来、スマートフォンの保護カバーの装飾構造として、スマートフォンの保護カバーを透明素材により構成し、スマートフォン背面と保護カバーとの間に写真等が印刷された装飾シートを介在させ、当該装飾シートの写真がスマートフォンの保護カバーを介して目視できるようにしたものが提案されている（特許文献１、図１、図２参照）。
【０００３】
また、携帯電話等の物品表面の装飾構造として、物品表面に電気メッキ等の方法により金属皮膜による模様を構成し、その金属皮膜の上に透光性を有する合成樹脂材料からなるクリアコーティング層を構成することにより金属光沢による装飾を形成する構造が提案されている（特許文献２）。
【先行技術文献】
【特許文献】
【０００４】
【特許文献１】特開２０１３−１８３１９８号公報
【特許文献２】実用新案登録第３１４３６０５号公報
【考案の概要】
【考案が解決しようとする課題】
【０００５】
ところで、特許文献１の装飾構造は、写真等の装飾を構成する装飾シートは、透明シートを表面に貼着した紙製又は合成樹脂製のシートであり、織物を装飾シートとして利用する技術は開示されていない。仮に、織物を装飾シートとして利用しようとしても、織物の表面に透明シートを貼着することは却って装飾性を低下させてしまうおそれがある。
【０００６】
特許文献２の装飾構造は、電気メッキ、真空蒸着等の技術により構成される金属光沢模様であり、当該構造では織物による模様を形成することはできないし、模様を構成するために金属蒸着等の専用の特殊な装置が必要となる。
【０００７】
本考案は、簡易な構造でありながら、例えば博多織（登録商標）等の織物をそのまま利用することにより、織物の模様そのものを装飾模様として利用することができる織物による物品表面の装飾構造を提供することを目的とする。
【課題を解決するための手段】
【０００８】
上記の目的を達成するため本考案は、
第１に、物品本体の一方面側の表面部を織物により装飾する織物による物品表面の装飾構造であって、表面側に模様が形成され上記物品本体の上記表面部に設置可能な大きさの所定形状の織物を設け、上記織物の裏面側を上記物品本体の上記表面部に載置し、上記物品本体の上記表面部に対応する光透過素材からなる透明部分を有する押えパネルを設け、上記表面部に載置された上記織物の表面側から上記物品本体に上記押えパネルを嵌合接続することにより、上記押えパネルと上記表面部との間に上記織物を挟持し、上記押えパネルの上記透明部分から上記光透過素材を通して上記織物の上記模様を目視し得るように構成したものであることを特徴とする織物による物品表面の装飾構造により構成される。
【０００９】
第２に、上記物品本体はスマートフォンの保護ケースであり、上記物品本体の上記表面部は上記保護ケースのスマートフォンが嵌合接続する側とは反対側の平面である上記第１記載の織物による物品表面の装飾構造により構成される。
【００１０】
第３に、上記保護ケースの上記表面部の周縁に突出縁を設け、上記織物は上記突出縁内の上記表面部に嵌合し得る大きさの布地であり、上記押えパネルは上記突出縁の内側に嵌合し得るように構成されており、上記表面部に載置された上記織物の表面側から上記押えパネルを上記突出縁に嵌合接続したものである上記第２記載の織物による物品表面の装飾構造により構成される。
【００１１】
第４に、上記押えパネルの中央部に開口部を形成することにより当該押えパネルを枠状に形成し、当該押えパネルと上記表面部により上記織物の外周部を挟持し得るように構成し、上記開口部を介して上記織物の表面に接触し得るように構成したものであることを特徴とする上記第３記載の織物による物品表面の装飾構造により構成される。
【００１２】
第５に、上記物品本体はコースターの基板であり、上記物品本体の上記表面部は上記コースターの上記基板におけるコップが載置される側の平面である上記第１記載の織物による物品表面の装飾構造により構成される。
【００１３】
第６に、上記押えパネルの周縁に上記基板の周縁に係合可能な側面部を設け、上記織物は上記基板の表面部と同じ大きさの布地であり、上記表面部に載置された上記織物の表面側から上記押えパネルを上記側面部を以って上記基板に嵌合接続したものである上記第５記載の織物による物品表面の装飾構造により構成される。
【００１４】
第７に、上記物品本体は箸置きの基板であり、上記物品本体の上記表面部は上記箸置きの上記基板における箸の先端部が置かれる側の平面である上記第１記載の織物による物品表面の装飾構造により構成される。
【００１５】
第８に、上記押えパネルの周縁に上記基板の周縁に係合可能な側面部を設け、上記織物は上記基板の表面部と同じ大きさの布地であり、上記表面部に載置された上記織物の表面側から上記押えパネルを上記側面部を以って上記基板に嵌合接続したものである上記第７記載の織物による物品表面の装飾構造により構成される。
【考案の効果】
【００１６】
本考案によれば、簡易な構造でありながら、例えば博多織（登録商標）等の織物をそのまま利用して、織物の模様を装飾模様として目視することができる織物による物品表面の装飾構造を実現することができる。
【００１７】
また、例えばスマートフォンの保護カバー、コースター、箸置き等の物品の表面から、透明素材を通して織物の表面の模様を目視することができるため、織物によって極めて装飾効果の高い構造を実現することができる。
【００１８】
また各種の物品の表面部の広い面積に織物を配置することができ、織物の模様による効果的な装飾を実現することができる。
【図面の簡単な説明】
【００１９】
【図１】本考案に係る織物による物品表面の装飾構造を適用した保護カバー（第１の実施形態）の分解斜視図である。
【図２】同上装飾構造を適用したスマートフォンの保護カバー（図１）の正面図である。
【図３】（ａ）は同上装飾構造を適用した同上保護カバー（図１）の一部分解断面図（Ａ−Ａ線）、（ｂ）は同上装飾構造を適用した同上保護カバー（図１）の一部断面図である。
【図４】同上装飾構造を適用した保護カバー（第２の実施形態）の分解斜視図である。
【図５】同上装飾構造を適用したスマートフォンの保護カバー（図４）の正面図である。
【図６】（ａ）は同上装飾構造を適用した同上保護カバー（図４）の一部分解断面図（Ｂ−Ｂ線）、（ｂ）は同上装飾構造を適用した同上保護カバー（図４）の一部断面図である。
【図７】同上装飾構造を適用したコースター（第３の実施形態）を示すものであり、（ａ）はコースターの斜視図、（ｂ）はコースターの正面図、（ｃ）はコースターの側面図である。
【図８】同上コースターに使用する織物の正面図である。
【図９】（ａ）は図７（ｂ）のＣ−Ｃ線断面図、（ｂ）は（ａ）の一部拡大断面図である。
【図１０】同上装飾構造を適用した箸置き（第４の実施形態）の斜視図である。
【図１１】（ａ）は同上橋置き（図１０）の平面図、（ｂ）は同上箸置き（図１０）の側面図である。
【図１２】同上箸置き（図１０）に使用する織物の正面図である。
【図１３】図１１（ａ）のＤ−Ｄ線断面図である。
【図１４】同上装飾構造を適用した箸置き（第５の実施形態）の斜視図である。
【図１５】（ａ）は同上箸置き（図１４）の平面図、（ｂ）は同上箸置き（図１４）の斜視図である。
【図１６】同上箸置き（図１４）に使用する織物の正面図である。
【図１７】図１５（ａ）のＥ−Ｅ線断面図である。
【考案を実施するための形態】
【００２０】
以下、添付図面に基づいて本考案に係る織物による物品表面の装飾構造について詳細に説明する。
【００２１】
（１）第１の実施形態（スマートフォンの保護カバー）
図１に示すように、物品本体としてのスマートフォンの（図示せず）保護ケース１の一方面側の表面部１ａに織物２を配置し、当該織物２の表面２ａ側の保護ケース１に光透過素材による押えパネル３を嵌合固定することにより構成される。
【００２２】
尚、本考案において、図１に示すように物品本体（保護ケース１）における織物２を装着する側を「前方」、物品本体の織物２を装着しない側を「後方」とし、「前方」から「後方」を向いた場合の左右を「左右方向」として以下説明する（図１以外の他の図も同様）。
【００２３】
上記保護ケース１は、平面状に形成された上記表面部１ａと、当該表面部１ａの周縁から後方側に折り曲げ形成され、スマートフォンの本体側面に係合する係合側面部１ｂを有しており、上記係合側面部１ｂにはスマートフォンのスイッチを臨出させるための複数の切欠１ｂ’が形成されている。当該保護ケース１の上記表面部１ａの上部左端にはスマートフォンのカメラ部を臨出させるための開口部１ｄが前後方向に貫通形成されている。
【００２４】
当該保護ケース１の上記表面部１ａの周縁には、前方側に突出する突出縁４が全周に亘り形成されており、上記突出縁４よりも後方側の低い位置（突出縁４より幅Ｔ１（約３ｍｍ）低い位置）に上記開口部１ｄの前面１ｄ’が形成されており（図３（ａ）参照）、上記前面１ｄ’の位置よりもさらに後方側の低い位置（前面１ｄ’より距離Ｔ２（約２ｍｍ）後方側の低い位置）に上記表面部１ａが位置している。また、上記前面１ｄ’と同一の高さの段部１ｄ”が上記突出縁４の内側の全周に亘り形成されている。
【００２５】
このように、上記保護ケース１の前面側には、最も低い位置に保護ケース１の前面の略全体の面積に広がる幅（深さ）Ｔ２の平面状の表面部１ａが形成されており、当該表面部１ａの周縁に幅Ｔ２を隔てて上記開口部１ｄの前面１ｄ’が形成されると共に、上記前面１ｄ’と同一高さの段部１ｄ”が上記表面部１ａの周縁全周に形成され、さらに上記段部１ｄ”の周縁に幅（深さ）Ｔ１（約３ｍｍ）を隔てて上記突出縁４が形成されている。
【００２６】
上記表面部１ａの幅（深さ）Ｔ２は上記織物２の幅と略同一であり、上記表面部１ａに上記織物２を嵌合配置することができる。上記織物２は、図１に示すように、全体形状は、上記深さＴ２の上記表面部１ａに嵌め込むことが可能な上記表面部１ａと同一形状、即ち、一角に上記開口部１ｄの前面１ｄ’を避けるための切欠部２ｂを有し、全体として上記表面部１ａと同様の大きさの角が丸い長方形状に裁断された布地から構成されている。即ち、上記織物２は、上記突出縁４内の上記表面部１ａに嵌合し得る大きさの布地から構成されている。
【００２７】
この織物２は、例えば博多織（登録商標）により構成された織物（布地）であり、表面２ａの全体又は一部に織目による模様Ｒが形成されている。この織物２はその厚みが約２ｍｍであり、上記表面部１ａの深さＴ２と略同様の厚みを有している。従って、当該織物２をその裏面２ｃ側から上記表面部１ａに載置すると、当該織物２は当該表面部１ａ内に隙間なく嵌合し、当該嵌合状態において、その表面２ａが上記前面１ｄ’及び段部１ｄ”と略同一高さに位置する状態となる（図３（ｂ）参照）。
【００２８】
ここで、当該織物２を上記表面部１ａ内に配置する際、当該織物２の裏面２ｃの全面又は一部に接着剤を塗布し、当該接着剤を以って上記表面部１ａに貼着しても良い。このように、上記織物２を上記表面部１ａに嵌合載置することにより、当該織物２の表面２ａの模様Ｒを上記保護ケース１の前面側の全体に配置することができる。
【００２９】
図１中、３は全体が光透過素材の合成樹脂材料（例えばアクリル樹脂）から構成された押えパネルであり、その形状は、上記保護ケース１の上記突出縁４内に嵌合し得る形状、即ち角が丸い上記突出縁４と同様の長方形状を成している。また、その厚さは上記保護ケース１の上記段部１ｄ”と上記突出縁４との幅Ｔ１と同様の約３ｍｍに構成されている。
【００３０】
また、当該押えパネル３における上記保護ケース１の上記開口部１ｄに対応する部分には開口部３ａが貫通形成されており、当該開口部３ａの裏面側には、上記開口部３ａの周縁に上記保護ケース１の開口部１ｄ内に挿入し得る環状突出縁３ａ’が後方側に突出形成されている。
【００３１】
従って、この押えパネル３は、上記織物２が載置された保護ケース１の前面の上記突出縁４により構成される凹部６（図３（ａ）参照）、即ち、織物２の表面２ａと上記突出縁４により構成される深さＴ１の凹部６に嵌合することができる。
【００３２】
この押えパネル３を上記保護ケース１の上記凹部６への当該嵌合した状態においては、押えパネル３の周縁が上記突出縁４内に隙間なく嵌合した状態となり、同時に、上記押えパネル３の環状突出縁３ａ’が上記保護ケース１の開口部１ｄ内に挿入嵌合され、開口部３ａと上記開口部１ｄが連通すると共に、当該押えパネル３の裏面３ｃが上記織物２の表面２ａ全体に圧着した状態となる。よって、上記織物２は上記保護ケース１の表面部１ａと上記押えパネル３の裏面３ｃとの間に挟持された状態となる（図３（ｂ）参照）。
【００３３】
このとき、上記押えパネル３の厚みと、上記前面１ｄ’又は上記段部１ｄ”又は織物２表面２ａと上記突出縁４の前端との間の幅Ｔ１が略同一なので、当該押えパネル３を上記突出縁４内に嵌合すると、当該押えパネル３の表面３ｂと上記突出縁４の前端の位置が略同一となり、突出部４のアール部から上記押えパネル３の周縁部が面一状態となり、全体が一体化した状態となる（図３（ｂ）参照）。
【００３４】
この押えパネル５の嵌合状態において、押えパネル３の透明の表面（透明部分）３ｂから上記織物２の表面２ａの模様Ｒを明瞭に目視することができる。即ち、織物２の表面２ａの模様Ｒをそのまま装飾として利用することができる（図２参照）。
【００３５】
しかも、上記押えパネル３は全体が透明の合成樹脂材料により構成されているので、上記保護ケース１のスマートフォンを装着しない側の面（表面部１ａ）の略全体に配置された織物２の織目の模様Ｒを、略その全体の面積に亘って、透明素材を介してそのまま模様として利用することができ、極めて装飾効果の高い保護ケース１を構成することができる。
【００３６】
尚、上記押えパネル３の周縁と上記保護ケース１の突出縁４の内側、又は上記保護ケース１の前面１ｄ’及び段部１ｄ”とを接着剤にて接合することもできる。また、上記押えパネル３の周縁の二点鎖線Ｌより外側の周縁部分であるエリアＥの部分に不透光材からなる塗料を塗布することにより、当該エリアＥのみを不透明化しても良い。このように構成すると、保護ケース１における織物２の周縁が目隠しされるため、より装飾効果を高めることができる。
【００３７】
（２）第２の実施形態（スマートフォンの保護カバー）
図４〜図６に示すものは、上記第１の実施形態の変形例であり、上記第１の実施形態と同一部分には同一符号を付して便宜上それらの説明は省略する。
【００３８】
この第２の実施形態において、上記第１の実施形態との相違点は、押えパネル３が枠状に形成されており、その中央部には透明パネル（透明部分）は存在せず、開口部６として貫通している点である。
【００３９】
より具体的には、上記押えパネル３は、図１の押えパネル３の二点鎖線Ｌより内側の部分に透明素材は存在せず、上記二点鎖線Ｌより内側の部分が開口部６として形成されているものである。尚、上記開口部６が存在していること以外は、第１の実施形態の押えパネル３と同一の構成である。
【００４０】
よって、当該枠状の押えパネル３を織物２が装着された保護ケース１に嵌合すると、上記押えパネル３の枠状部分により上記織物２の周縁部分を押圧（圧着）することができ（図６（ｂ）参照）、上記第１の実施形態と同様に、当該押えパネル３と上記保護ケース１表面部１ａとの間に上記織物２を挟持することができる。
【００４１】
本実施形態の場合、第１の実施形態と同様に、この押えパネル３の嵌合状態において、押えパネル３の開口部６から上記織物２の表面２ａの模様Ｒを明瞭に目視することができる。即ち、織物２の表面２ａの模様Ｒをそのまま装飾として利用することができる。
【００４２】
これに加えて、上記開口部６から上記織物２の表面２ａに直接手で触れることができ、織物２の素材感を楽しむことができるという効果を奏する。
【００４３】
勿論、第１の実施形態と同様に、上記押えパネル３の開口部６を介して、上記保護ケース１のスマートフォンを装着しない側の面の略全体に配置された織物２の織目の模様Ｒを、略その全体の面積に亘って、そのまま模様として利用することができ、極めて装飾効果の高い保護ケースを構成することができる。
【００４４】
尚、当該第２の実施形態における上記押えパネル３は、透明な素材により構成しても良いが、不透明な合成樹脂素材により構成することができる。
【００４５】
（３）第３の実施形態（コースター）
図７〜図９に示すように、物品本体としてのコースター１０の方形の基板７（図９（ａ）（ｂ）参照）の一方面側の表面部７ａに織物２を配置し、当該織物２の表面２ａ側に光透過素材の合成樹脂材料（例えばアクリル樹脂）による押えパネル８を嵌合固定することにより構成される。
【００４６】
上記基板７は、正方形の板状に形成され、前面側に平面状の表面部７ａが形成されると共に、表面部７ａの外周部には基板７より厚みの薄い縁部７ｂが全周に亘り突出形成されており、これにより基板７の全周に段部７ｃが形成されている。尚、上記縁部７ｂと上記表面部７ａとの段差（幅）をＴ３とする。
【００４７】
上記織物２は、上記第１の実施形態の織物２と同様の構成であり、図８に示すように、全体形状は、上記表面部７ａ上に載置することが可能であって、当該表面部７ａと同一面積の正方形に裁断された布地から構成されている。
【００４８】
この織物２は、例えば博多織（登録商標）により構成された織物（布地）であり、表面２ａに織目による模様Ｒが形成されている。この織物２はその厚み（Ｔ４）が約２ｍｍである。よって、上記表面部７ａにその裏面２ａ側を載置（接着）すると、上記基板７の上記縁部７ｂに対して、上記表面部７ａの幅Ｔ３と共にＴ３＋Ｔ４の幅だけ前方側に突出した突出部９を形成し得るようになっている。
【００４９】
ここで、当該織物２を上記表面部７ａに配置する際、当該織物２の裏面２ｃの全面又は一部に接着剤を塗布し、当該接着剤を以って上記表面部７ａに貼着しても良い。このように、上記基板７の表面部７ａと同一面積の織物２を、上記表面部７ａ上に配置することにより、当該織物２の表面２ａの模様Ｒを上記コースター１０の基板７の前面側（表面部７ａ）の全体に配置することができる。
【００５０】
図７中、８は全体が透明の合成樹脂材料（例えばアクリル樹脂）から構成された上記押えパネルであり、正方形の平板状の透明パネル部８ａと、当該透明パネル部８ａの周縁の全周から後方側に設けられた側面部８ｂとから構成されており、上記側面部８ｂの内側凹部に上記織物２を有する上記基板７を嵌合固定し得るように構成されている（図９参照）。
【００５１】
上記押えパネル８の上記内側凹部には、上記基板７の上記縁部７ｂの厚みより若干大きい厚みＴ５であって、上記基板７より若干大きい面積の基板嵌合凹部８ｃと、上記基板嵌合凹部８ｃの前方側に、上記段差の幅Ｔ３と上記織物２の幅Ｔ４の合計（Ｔ４＋Ｔ３）の幅であって、上記表面部７ａより若干大きい面積の織物嵌合凹部８ｄが形成されている。上記織物嵌合凹部８ｄの面積は上記基板嵌合凹部８ｃの面積より小なので、上記両凹部８ｃ，８ｄ間には後向段部８ｅが形成されている。
【００５２】
従って、上記押えパネル８を上記織物２が配置された上記基板７の前面側に嵌合すると、上記基板７は上記基板嵌合凹部８ｃに嵌合固定されると共に、上記押えパネル８の上記後向段部８ｅが上記基板７の上記縁部７ｂの前面側に当接し、この状態において、上記織物２の表面２ａ全面が上記押えパネル８の透明パネル部８ａの裏面側に圧着した状態となる。よって、上記織物２は上記基板７の表面部７ａと上記押えパネル８の透明パネル部８ａの裏面８ｆとの間に挟持された状態となる（図９（ａ）（ｂ）参照）。
【００５３】
尚、上記押えパネル８と上記基板７との接合は、嵌合により行っても良いが、上記押えパネル８の基板嵌合凹部８ｃと上記基板７の縁部７ｂとを接着剤により接合しても良いし、両者を熱溶着により接合しても良い。
【００５４】
図９に示すように、上記押えパネル８の透明パネル部８ａの周縁部は、全周に亘り肉厚部８ｇが形成されており、コップ等を載置したときの安定性のある形状としている。また、上記基板７の裏面側にはすべり止めとしてシリコンシート１１が貼着されている。このシリコンシート１１はその裏面側（後面側）が上記押えパネル８の後端部より若干後方側に突出する幅に形成することが好ましい。
【００５５】
この押えパネル８の嵌合状態において、押えパネル８の透明パネル部８ａから上記織物２の表面２ａの模様Ｒを明瞭に目視することができる。即ち、織物２の表面２ａの模様Ｒをそのまま装飾として利用することができる。
【００５６】
しかも、上記押えパネル８は全体が透明の合成樹脂材料により構成されているので、上記基板７の表面部７ａの全体に配置された織物２の織目の模様Ｒを、略その全体の面積に亘って、透明素材を介してそのまま模様として利用することができ、極めて装飾効果の高いコースター１０を構成することができる。
【００５７】
（４）第４の実施形態（箸置き）
第４の実施形態は、第３の実施形態と基本的構成は同一であるが、細長い箸置き１２に適用したものである。
【００５８】
図１０〜図１３に示すように、物品本体としての箸置き１２の長方形の基板１３（図１３参照）の一方面側の表面部１３ａに織物２を配置し、当該織物２の表面２ａ側に光透過素材による押えパネル１４を嵌合固定することにより構成される。
【００５９】
上記基板１３は、長方形の板状に形成され、前面側に平面状の表面部１３ａが形成されると共に、表面部１３ａの外周部には基板１３より厚みの薄い縁部１３ｂが全周に亘り形成されており、これにより基板１３の全周に段部１３ｃが形成されている。尚、上記縁部１３ｂと上記表面部１３ａとの段差（幅）をＴ３とする。
【００６０】
上記織物２は、上記第１の実施形態の織物２と同様の構成であり、図１２に示すように、全体形状は、上記表面部１３ａ上に載置することが可能であって、当該表面部１３ａと同一面積の細長い長方形に裁断された布地から構成されている。
【００６１】
この織物２は、例えば博多織（登録商標）により構成された織物（布地）であり、表面２ａに織目による模様Ｒが形成されている。この織物２はその厚み（Ｔ４）が約２ｍｍである。よって、上記表面部１３ａにその裏面２ｃ側を載置（接着）すると、上記基板１３の上記縁部１３ｂに対して、上記表面部１３ａの幅Ｔ３と共にＴ３＋Ｔ４の幅だけ前方側に突出した突出部１５を形成し得るように構成される（図１３参照）。
【００６２】
ここで、当該織物２を上記表面部１３ａ内に配置する際、当該織物２の裏面２ｃの全面又は一部に接着剤を塗布し、当該接着剤を以って上記表面部１３ａに貼着しても良い。このように、上記基板１３の表面部１３ａと同一面積の織物２を、上記表面部１３ａ上に配置することにより、当該織物２の表面２ａの模様Ｒを上記箸置き１２の基板１３の前面側の全体に配置することができる。
【００６３】
図１０中、１４は全体が光透過素材の合成樹脂材料（例えばアクリル樹脂）から構成された押えパネルであり、長方形の平板状の透明パネル部１４ａと、当該透明パネル部１４ａの周縁の全周から後方側に設けられた側面部１４ｂとから構成されており、上記側面部１４ｂの内側凹部に上記織物２を有する上記基板１３を嵌合固定し得るように構成されている。
【００６４】
上記押えパネル１４の上記内側凹部には（図１３参照）、上記基板１３の上記縁部１３ｂの厚みより若干大きい厚みＴ５であって、上記基板１３より若干大きい面積の基板嵌合凹部１４ｃと、上記基板嵌合凹部１４ｃの前方側に、上記段差の幅Ｔ３と上記織物２の幅Ｔ４ｂの合計（Ｔ４＋Ｔ３）の幅であって、上記表面部１３ａより若干大きい面積の織物嵌合凹部１４ｄが形成されている。上記織物嵌合凹部１４ｄの面積は上記基板嵌合凹部１４ｃの面積より小なので、上記両凹部１４ｃ，１４ｄ間には後向段部１４ｅが形成されている。
【００６５】
従って、上記押えパネル１４を上記織物２が配置された上記基板１３の前面側に嵌合すると、上記基板１３は上記基板嵌合凹部１４ｃに嵌合固定されると共に、上記押えパネル１４の上記後向段部１４ｅが上記基板１３の上記縁部１３ｂの前面側に当接し、この状態において、上記織物２の表面２ａ全面が上記押えパネル１４の透明パネル部１４ａの裏面側に圧着した状態となる。よって、上記織物２は上記基板１３の表面部１３ａと上記押えパネル１４の透明パネル部１４ａの裏面１４ｆとの間に挟持された状態となる。
【００６６】
尚、上記押えパネル１４と上記基板１３との接合は、嵌合により行っても良いが、上記押えパネル１４の基板嵌合凹部１４ｃと上記基板１３の縁部１３ｂとを接着剤により接合しても良いし、両者を熱溶着により接合しても良い。
【００６７】
図１０に示すように、上記押えパネル１４の透明パネル部１４ａの長手方向の両端部には、肉厚部１４ｇ，１４ｇが形成されており、箸先を載置したときの安定性のある形状となっている。
【００６８】
この押えパネル１４の嵌合状態において、押えパネル１４の透明パネル部１４ａから上記織物２の表面２ａの模様Ｒを明瞭に目視することができる。即ち、織物２の表面２ａの模様Ｒをそのまま装飾として利用することができる。
【００６９】
しかも、上記押えパネル１４は全体が透明の合成樹脂材料により構成されているので、上記基板１３の表面部１３ａの全体に配置された織物２の織目の模様Ｒを、略その全体の面積に亘って、透明素材を介してそのまま模様として利用することができ、極めて装飾効果の高い箸置き１２を構成することができる。
【００７０】
（５）第５の実施形態（箸置き）
第５の実施形態は、図１４〜図１７に示すように、物品本体として箸置きであって第４の実施形態と基本的構成は同一であるが、第４の実施形態の箸置き１２の幅はそのままの状態で、長さを長手方向に延長し、肉厚部１４ｇを長手方向両端部と中央部の３か所に形成したものである。
【００７１】
この実施形態においても、織物２（図１６参照）は箸置き１２の長手方向の表面全体に配置されており、透明素材により形成された押えパネル１４の前面側から、上記織物の模様Ｒを目視することができるものである。
【００７２】
以上のように、本考案によれば、簡易な構造でありながら、例えば博多織（登録商標）等の織物をそのまま利用して、織物の模様を装飾模様として目視することができる織物による物品の装飾構造を実現することができる。
【００７３】
また、例えばスマートフォンの保護カバー１、コースター１０、箸置き１２等の物品の表面から、光透過素材を通して織物２の表面の模様Ｒを目視することができるため、織物によって極めて装飾効果の高い構造を実現することができる。
【００７４】
また各種の物品の表面部の広い面積に織物を配置することができ、織物の模様による効果的な装飾を実現することができる。
【００７５】
また、織物を手で触ることのできる織物による物品表面の装飾構造を実現することができる。
【００７６】
上記織物は博多織（登録商標）に限らず、各種の織物を使用することができる。
【産業上の利用可能性】
【００７７】
本考案に係る織物による物品表面の装飾構造は、簡易な構造でありながら織物による効果の高い装飾構造を実現することができ、多種の物品、即ち、実施形態にて示したスマートフォンの保護カバー、コースター、箸置き等に限定されず、文鎮、小物入れの表面、タブレットコンピュータの保護カバー、名刺ケース等、多種多様な物品の表面の装飾構造として利用することができる。
【符号の説明】
【００７８】
１                保護ケース（物品本体）
１ａ              表面部
２                織物
２ａ              表面
２ｃ              裏面
３                押えパネル
４                突出縁
６                開口部
７                基板（物品本体）
７ａ              表面部
８                押えパネル
８ｂ              側面部
１０              コースター
１２              箸置き
１３              基板（物品本体）
１３ａ            表面部
１４              押えパネル
１４ｂ            側面部
Ｒ                模様
【図１】
0003190061.tif 000003
【図２】
0003190061.tif 000004
【図３】
0003190061.tif 000005
【図４】
0003190061.tif 000006
【図５】
0003190061.tif 000007
【図６】
0003190061.tif 000008
【図７】
0003190061.tif 000009
【図８】
0003190061.tif 000010
【図９】
0003190061.tif 000011
【図１０】
0003190061.tif 000012
【図１１】
0003190061.tif 000013
【図１２】
0003190061.tif 000014
【図１３】
0003190061.tif 000015
【図１４】
0003190061.tif 000016
【図１５】
0003190061.tif 000017
【図１６】
0003190061.tif 000018
【図１７】
0003190061.tif 000019